(57)【要約】  本発明は、刃（６）を有する少なくとも１本のナイフ（８）が収容部（５）に導入可能である、ナイフブロック（１）用の取出し安全装置に関する。簡単で安定した、ナイフブロック用の取出し安全装置を提供するために、少なくとも１つの開口部を有する蓋部と、蓋部に対して摺動可能に置かれた、少なくとも１つの切抜き部を有する型部とを備え、第１の位置では、刃の通過が可能であるように切抜き部と開口部とが互いに位置合わせされており、第２の位置では、刃の通過がブロックされている。
2016501591.tif 000002
【特許請求の範囲】
【請求項１】
刃（６）を有する少なくとも１本のナイフ（８）が収容部（５）に導入可能である、ナイフブロック（１）用の取出し安全装置であって、
少なくとも１つの開口部（３１）を有する蓋部（１０）と、該蓋部（１０）に対して摺動可能に置かれた、少なくとも１つの切抜き部（３２）を有する型部（１１）とを備え、第１の位置では、刃（６）の通過が可能であるように前記切抜き部（３２）と前記開口部（３１）とが互いに位置合わせされており、第２の位置では、刃（６）の通過がブロックされている、ことを特徴とするナイフブロック用の取出し安全装置。
【請求項２】
前記型部（１１）は、少なくとも部分的に強磁性材料から成っており、前記型部（１１）は、磁石（１３）の作用によって摺動可能である、請求項１記載の取出し安全装置。
【請求項３】
前記型部（１１）は、前記磁石（１３）により第１の位置に保持され、第１の位置では、前記ナイフ（８）は、前記ナイフブロック（１）に導入可能である、かつ／又は前記ナイフ（８）は、前記ナイフブロック（１）から取出し可能である、請求項１又は２記載の取出し安全装置。
【請求項４】
前記型部（１１）は、前記磁石（１３）の引付け作用がないときには第２の位置を占め、これにより前記ナイフ（８）は、前記ナイフブロック（１）に導入不能である、又は前記ナイフブロック（１）から取出し不能である、請求項１から３までのいずれか１項記載の取出し安全装置。
【発明の詳細な説明】
【技術分野】
【０００１】
本発明は、刃を有する少なくとも１本のナイフが導入可能であるナイフブロック用の取出し安全装置に関する。
【０００２】
冒頭で述べたようなナイフブロックは、多くのキッチンにおいて実際に様々なナイフを保管するために使用される。これにより、ナイフは、きちんと整理されているだけではなく破損に対して防護されている。その種のナイフブロックは、特に小さな子供をもった家庭では、子供にも自由に手を近づけることができるようにナイフが収納されており、従ってそのようなナイフブロックによって子供が大きな怪我をしてしまう危険が伴っているので、不都合であることが判った。
【０００３】
ナイフを保管する別の装置は、独国実用新案登録第２９７０２２６９号明細書に記載されている。この装置は、ナイフ刃を収容する鞘部を備え、鞘部は、ベース要素と、ベース要素に対して持上げ可能な蓋部とから形成されているので、鞘部の内部が接近可能である。この装置は、ロック装置を備えることができる。ロック装置は、ナイフ柄に作用し、ロック状態でナイフを保管装置に固定する。これにより、ナイフは、子供にとってほぼ取出し不能に収納される。
【０００４】
この提案された取出し安全装置は極めて複雑であって、多数の機械式の持上げ要素及び係合要素を具備し、しかもこれらの持上げ要素及び係合要素は破損しやすい欠点がある。
【０００５】
公知の装置から出発して、本発明の課題は、簡単で安定した、ナイフブロック用の取出し安全装置を提供することである。
【０００６】
この課題は、請求項１に記載された取出し安全装置により解決される。それによると、取出し安全装置は、少なくとも１つの開口部を有する蓋部と、蓋部に対して摺動可能に置かれた、少なくとも１つの切抜き部を有する型部とを備え、この場合、第１の位置では、刃の通過が可能であるように切抜き部と開口部とが互いに対して位置合わせされていて、第２の位置では、刃の通過がブロックされている。この取出し安全装置は、端面側で、従来慣用のナイフブロックに被せ嵌められ、この従来慣用のナイフブロックに着脱可能に又は着脱不能に結合されている。この場合、蓋部の開口部と、型部の切抜き部と、ナイフブロックの収容部とは、第１の位置において、ナイフをナイフブロックから取り出し、再び導入できるように、互いに対して位置合わせされている。型部の第２の位置では、開口部並びに切抜き部は、少なくとも部分的に型部により覆われるので、ナイフをナイフブロックに導入することもナイフブロックから引き抜くこともできない。
【０００７】
本発明の好適な態様は、従属請求項に記載されている。
【０００８】
型部を移動させるために、種々異なる機構が設けられている。好適な第１の態様によれば、型部は、少なくとも部分的に強磁性材料から成っているので、型部は、磁石の作用により摺動可能である。この場合、型部は、磁石により第１の位置に保持される。第１の位置では、ナイフは、ナイフブロックに導入可能である、かつ／又は、ナイフは、ナイフブロックから取出し可能である。磁石が離反させられると、磁石は、もはや型部を引き付ける作用を有しないので、型部は、重力に基づいて第２の位置に落下する。この第２の位置では、型部は、開口部及び／又は切抜き部を少なくとも部分的に覆い、これにより、ナイフは、形状結合式の収納に基づいてもはや取り出すことはできない。
【０００９】
これに対して択一的に、型部を摺動させる別の態様も設けられている。例えば、型部は、側方で蓋部から突出していて手で案内される連行体を有してよい。場合により、連行体は、第２の位置で、鍵要素を介してロックすることができ、これによりやはり子供に対する安全性が提供される。
【００１０】
取出し安全装置は、好適には、選択的にナイフブロックに結合される別体の構成要素として形成されている。これにより、使用者にとって、特に、チャイルドセーフティを省いてよい場合には、取出し安全装置を取り外すことができるという利点が得られる。
【００１１】
以下に、本発明の具体的な態様を図面に基づいて詳説する。
【図面の簡単な説明】
【００１２】
【図１】ａ及びｂは、背景技術によるナイフブロックである。
【図２】ａ及びｂは、それぞれ異なる２つの位置で取出し安全装置を示す概略図である。
【図３】ａ〜ｄは、それぞれ異なる位置で蓋要素及び型部を示す平面図である。
【００１３】
公知の態様のナイフブロック１は、内実のブロック２から成っている。ブロック２は、スタンド面３と端面４とを備える。角度を成して配置された端面４には、ナイフ刃６を収容するために適切である細長い収容部５が形成されている。矢印方向７でナイフ８を取り出して、再びナイフブロック１に導入することができる。図１のｂには、正面からみた（図１のａの矢印方向９からみた）ナイフ８の状態が示されている。
【００１４】
本発明による具体的な態様は、図２のａ及びｂ並びに図３のａ〜ｄに示されている。それによると、取出し安全装置として、蓋部１０及び型部１１がナイフブロックの端面４側に被せ嵌められる。型部１１は、蓋部１０とナイフブロックの端面４側との間で矢印方向１２に摺動可能に置かれている。磁石１３（図２のａ）の作用により、強磁性の型部１１は、第１の位置に保持される。第１の位置では、収容部５は、完全に露出しているので、ナイフ８を矢印方向１４に導入することができる。
【００１５】
これに対して図２のｂには、型部１１の第２の位置が示されている。型部１１は、磁石１３の引付け作用が不足しているので、重力に起因して矢印方向１５に滑動している。このとき、型部１１は、少なくとも部分的に収容部５を覆い隠すので、ナイフ（図２ａ及びｂには図示されていない）を取り出すことはできない。
【００１６】
図３のａには、開口部３１が形成された蓋部１０の具体的な態様が示されている。開口部３１は、ナイフブロック１に設けられた収容部５と合致するように形成されている。これに対して型部１１（図３のｂ）は、Ｌ字形の切抜き部３２を有するので、各切抜き部３２はタブ３３を形成する。タブ３３の機能については図３のｃ及びｄから明らかである。そこで図３のｃ及びｄには、蓋部１０及び型部１１がどのように相前後して配置されているのか示されている。この場合、図３のｃには、第１の位置が示されている。第１の位置では、収容部５及び開口部３１は露出しており、従って、ナイフ８を導入して、再び引き抜くことができる。磁石１３が離反させられると、直ちに型部１１が重力に起因して矢印方向１５に摺動し、図３のｄに示された第２の位置に位置するようになる。その第２の位置では、タブ３３が少なくとも部分的に開口部３１及び収容部５を閉じるので、ナイフ８は、形状結合（形状結合とは嵌め合い又は噛み合いなどの部材相互の形状的関係に基づく結合を意味する）式に収納されていて、取り出すことができない。具体的に述べると、タブ３３がナイフ刃６の後方の端部３５の手前に摺動し、これに対してナイフ柄３４は、切抜き部３２における開放部分を通過している。
【図１ａ】
2016501591.tif 000003
【図１ｂ】
2016501591.tif 000004
【図２ａ】
2016501591.tif 000005
【図２ｂ】
2016501591.tif 000006
【図３ａ】
2016501591.tif 000007
【図３ｂ】
2016501591.tif 000008
【図３ｃ】
2016501591.tif 000009
【図３ｄ】
2016501591.tif 000010
【国際調査報告】
2016501591.tif 000011
2016501591.tif 000012
2016501591.tif 000013
2016501591.tif 000014
2016501591.tif 000015
2016501591.tif 000016